(57)【要約】【課題】主観評価を行う評価者が、直前の表示画像を見たことによるその後の表示画像の評価に対して影響を受けにくくすることができる。【解決手段】表示画像の画質を評価するための画像信号を出力する画像処理回路であって、前記画質の評価項目を選択する評価項目選択部２８０と、複数の前記表示画像を表示する合間に挿入されるリフレッシュ時間を設定するリフレッシュ時間設定部２２０と、複数の前記表示画像の各々について、前記画質を示すパラメーターを異なる値に設定するパラメーター設定部２１０と、複数の前記表示画像を順次に画像表示部に表示させつつ、前記リフレッシュ時間の間、前記表示画像とは異なる画像を前記画像表示部に表示させるための前記画像信号を出力する画像信号出力部２６０と、を備えたことを特徴とする。【選択図】図２
2011082843.tif 000002
【特許請求の範囲】
【請求項１】
表示画像の画質を評価するための画像信号を出力する画像処理回路であって、
前記画質の評価項目を選択する評価項目選択部と、
複数の前記表示画像を表示する合間に挿入されるリフレッシュ時間を設定するリフレッシュ時間設定部と、
複数の前記表示画像の各々について、前記画質を示すパラメーターを異なる値に設定するパラメーター設定部と、
複数の前記表示画像を順次に画像表示部に表示させつつ、前記リフレッシュ時間の間、前記表示画像とは異なる画像を前記画像表示部に表示させるための前記画像信号を出力する画像信号出力部と、
を備えることを特徴とする画像処理回路。
【請求項２】
前記リフレッシュ時間内に表示するリフレッシュ画像を設定するリフレッシュ画像設定部をさらに備えることを特徴とする請求項１に記載の画像処理回路。
【請求項３】
前記リフレッシュ画像設定部は、前記表示画像よりも輝度の低い画像を前記リフレッシュ画像として設定することを特徴とする請求項２に記載の画像処理回路。
【請求項４】
前記リフレッシュ時間設定部は、前記パラメーターに応じた前記リフレッシュ時間を設定することを特徴とする請求項１から３のいずれか１項に記載の画像処理回路。
【請求項５】
前記リフレッシュ時間設定部は、複数のフレームに相当する時間を前記リフレッシュ時間として設定することを特徴とする請求項１から４のいずれか１項に記載の画像処理回路。
【請求項６】
前記パラメーターが異なる値に設定された複数の前記表示画像に対する評価入力を受け付ける評価入力受付部をさらに備え、
前記画像信号出力部は、前記評価入力受付部が前記評価入力を受け付けたことに応じて、前記パラメーターと異なるパラメーターについて異なる値を設定した前記表示画像を前記画像表示部に表示させるための前記画像信号を出力することを特徴とする請求項１から５のいずれか１項に記載の画像処理回路。
【請求項７】
請求項１から６のいずれかに記載の画像処理回路と、
前記画像信号に基づいて複数の前記表示画像を表示する画像表示部と、
を備えたことを特徴とするプロジェクター。
【請求項８】
前記画像処理回路は、
前記表示画像について台形補正を行う台形補正部をさらに備え、
前記パラメーター設定部は、前記台形補正部により台形補正が行われた場合に、前記パラメーターの設定値を変更することを特徴とする請求項７に記載のプロジェクター。
【請求項９】
表示画像の画質を評価するための画像評価方法であって、
前記画質の評価項目を選択する評価項目選択ステップと、
複数の前記表示画像を表示する合間に挿入されるリフレッシュ時間を設定するリフレッシュ時間設定ステップと、
複数の前記表示画像の各々について、前記画質を示すパラメーターを異なる値に設定するパラメーター設定ステップと、
複数の前記表示画像を順次に表示させつつ、前記リフレッシュ時間の間、前記表示画像とは異なる画像を表示させる画像表示ステップと、を含むことを特徴とする画像評価方法。
【発明の詳細な説明】
【技術分野】
【０００１】
本発明は、表示画像の画質を評価するための画像信号を出力する画像処理回路、当該画像処理回路を備えたプロジェクター、および、表示画像の画質を評価するための画像評価方法に関する。
【背景技術】
【０００２】
表示画像の画質を左右するシャープネス、明るさ（輝度）、コントラストなどの評価項目に関するパラメーターをユーザーが調整可能なプロジェクターが知られている（例えば特許文献１参照）。このようなプロジェクターは、ユーザーが表示画像を見ながら複数の上記評価項目におけるパラメーターの値を設定していくことで、好適な画質に調整することができる。
【０００３】
ところで、上記のようなプロジェクターは、工場出荷前に、テスト画像などを表示させて、上記の各評価項目におけるパラメーターの値と表示画質との対応関係の調整が行われている。また、このような調整は、例えば、特定の評価項目に関するパラメーターのみについて値が異なる複数のテスト画像をプロジェクターにより順次表示させて評価者が目視により主観評価する方法が採られている。
【先行技術文献】
【特許文献】
【０００４】
【特許文献１】特開２００９−５５１６４号公報
【発明の概要】
【発明が解決しようとする課題】
【０００５】
しかしながら、上記の評価手法では、評価者は続けて表示されるテスト画像を主観評価することになるので、例えば、評価者が同じ明るさのテスト画像を主観評価する場合でも、直前により明るいテスト画像を見た場合と、より暗いテスト画像を見た場合とで、評価の結果が異なることがあった。
【課題を解決するための手段】
【０００６】
上記課題を解決することを目的とする本発明の一の形態は、表示画像の画質を評価するための画像信号を出力する画像処理回路であって、前記画質の評価項目を選択する評価項目選択部と、複数の前記表示画像を表示する合間に挿入されるリフレッシュ時間を設定するリフレッシュ時間設定部と、複数の前記表示画像の各々について、前記画質を示すパラメーターを異なる値に設定するパラメーター設定部と、複数の前記表示画像を順次に画像表示部に表示させつつ、前記リフレッシュ時間の間、前記表示画像とは異なる画像を前記画像表示部に表示させるための前記画像信号を出力する画像信号出力部と、を備えたことを特徴とする。
【０００７】
このような画像処理回路が出力する画像信号により表示することのできる表示画像を主観評価に用いることにより、当該評価を行う評価者が、直前の表示画像を見たことによるその後の表示画像の評価に対して影響を受けにくくすることができる。
【０００８】
また、上記画像処理回路は、前記リフレッシュ時間内に表示するリフレッシュ画像を設定するリフレッシュ画像設定部をさらに備えることが好ましい。
【０００９】
これにより、リフレッシュ時間内に評価者が直前の表示画像のイメージをキャンセルし易くなる。
【００１０】
また、上記画像処理回路において、前記リフレッシュ画像設定部は、前記表示画像よりも輝度の低い画像を前記リフレッシュ画像として設定することが好ましい。
【００１１】
これにより、リフレッシュ時間内に評価者が直前の表示画像のイメージをよりキャンセルし易くなる。
【００１２】
また、上記画像処理回路において、前記リフレッシュ時間設定部は、前記パラメーターに応じた前記リフレッシュ時間を設定することが好ましい。
【００１３】
これにより、明るさなど、直前の表示画像のイメージをキャンセルするのに時間がかかるパラメーターについて主観評価を行う場合は、長めにリフレッシュ時間を設けるなどの設定が可能となる。
【００１４】
また、上記画像処理回路において、前記リフレッシュ時間設定部は、複数のフレームに相当する時間を前記リフレッシュ時間として設定することが好ましい。
【００１５】
これにより、表示画像を所定のフレームレートでコマ送り表示するような場合でも、十分なリフレッシュ時間を確保することができる。
【００１６】
また、上記画像処理回路は、前記パラメーターが異なる値に設定された複数の前記表示画像に対する評価者による評価入力を受け付ける評価入力受付部をさらに備え、前記画像信号出力部は、前記評価入力受付部が前記評価入力を受け付けたことに応じて、前記パラメーターと異なるパラメーターについて異なる値を設定した前記表示画像を前記画像表示部に表示させるための前記画像信号を出力することが好ましい。
【００１７】
これにより、画像処理回路が出力する画像信号により順次に表示された一連の表示画像に対する評価が入力されると、直ちに次の評価対象の表示画像を画像表示部に表示させることができるので、主観評価試験を効率的に行うことができる。
【００１８】
また、本発明の他の形態は、プロジェクターであって、上記のいずれかの特徴を有する画像処理回路と、前記画像信号に基づいて複数の前記表示画像を表示する画像表示部と、を備えたことを特徴とする。
【００１９】
このようなプロジェクターによれば、上記画像処理回路と同様の効果を奏することができる。
【００２０】
また、上記のプロジェクターにおいて、上記画像処理回路は、前記表示画像について台形補正を行う台形補正部をさらに備え、前記パラメーター設定部は、前記台形補正部により台形補正が行われた場合に、前記パラメーターの設定値を変更することが好ましい。
【００２１】
これにより、プロジェクターの設置角度を変えて台形補正が行われた場合に、当該台形補正後の表示画像により適したパラメーターの設定値に変更して主観評価を実施することができる。
【００２２】
また、本発明のさらに他の形態は、画像評価方法であって、表示画像の画質を評価するための画像評価方法であって、前記画質の評価項目を選択する評価項目選択ステップと、複数の前記表示画像を表示する合間に挿入されるリフレッシュ時間を設定するリフレッシュ時間設定ステップと、複数の前記表示画像の各々について、前記画質を示すパラメーターを異なる値に設定するパラメーター設定ステップと、複数の前記表示画像を順次に表示させつつ、前記リフレッシュ時間の間、前記表示画像とは異なる画像を表示させる画像表示ステップと、を含むことを特徴とする。
【図面の簡単な説明】
【００２３】
【図１】本発明の実施形態に係るプロジェクター１００の概略構成図である。
【図２】画像処理回路２００の機能ブロック図である。
【図３】プロジェクター１００の表示画像を主観評価する際のフローチャートである。
【図４】プロジェクター１００の表示画像を主観評価する際のフローチャートである。
【図５】主観評価の際に順次に表示される表示画像、リフレッシュ画像、および評価要求画像の一例である。
【発明を実施するための形態】
【００２４】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２５】
図１は、本発明の実施形態に係るプロジェクター１００の概略構成図である。本実施形態のプロジェクター１００は、図１に示すように、ランプ１１０、操作部１１１、液晶パネル駆動部１１２、操作受付け部１１３、電源部１１４、記憶部１１６、制御部１１７、ランプ駆動部１１９、光学部１２０、および画像処理回路２００などから構成されている。このプロジェクター１００は、光源としてのランプ１１０が放射した光を、光の３原色成分（赤色光、青色光、緑色光）に分離し、各色光毎に光学部１２０に含まれる光変調素子である各色光用の液晶ライトバルブにより、画像処理回路２００において生成される画像信号に応じて変調し、再度合成してスクリーンに投写する、いわゆる「液晶３板式プロジェクター」である。なお、ランプ１１０、液晶パネル駆動部１１２、ランプ駆動部１１９、および光学部１２０は、本発明における画像表示部の一例である。
【００２６】
操作部１１１は、例えばプロジェクター１００の本体上面などに設けられ、プロジェクター１００を操作するための複数の操作用ボタン、およびプロジェクター１００による表示画像の画質を規定するシャープネス、明るさ（輝度）、コントラストなどのパラメーターの選択あるいは選択したパラメーターの値の設定を行うことができる設定ボタンなどが配されている。操作受付け部１１３は、操作部１１１への操作がなされると、その操作を受付け、制御部１１７および画像処理回路２００などへ各種動作のトリガーとなる操作信号を送る。制御部１１７は、ＣＰＵ（Central Processing Unit）であり、バスラインＢｕｓを介して、各部との信号のやり取りを行う。
【００２７】
ランプ１１０は、例えば、高圧水銀ランプや、メタルハライドランプ及びハロゲンランプなどの高輝度が得られる放電式ランプである。液晶パネル駆動部１１２は、液晶ライトバルブ（図示せず）に画像処理回路２００から入力される画像信号および駆動電圧などを供給し、液晶ライトバルブに映像を写し出す。電源部１１４は、外部電源１５０からの交流電力をプラグ（図示せず）から導き、内蔵するＡＣ／ＤＣ変換部（図示せず）にて変圧、整流および平滑するなどの処理を施すことにより安定化させた直流電圧をプロジェクター１００の各部に供給する。
【００２８】
ランプ駆動部１１９は、電源部１１４からの電力供給を受け、放電式ランプであるランプ１１０を点灯するために高電圧を発生して放電経路を形成するイグナイター回路（図示せず）と、点灯後の安定した点灯状態を維持するためのバラスト回路（図示せず）とを備えている。
【００２９】
光学部１２０は、ランプ１１０が放射する白色光を輝度分布の安定した略平行光に変換するインテグレータ光学系と、輝度分布の安定した白色光を光の３原色である赤色、緑色、青色の各色光成分に分離して各色光用の液晶ライトバルブに供給する分離光学系と、液晶ライトバルブにて各色光毎に画像信号に応じて変調された各色光を、再度合成する合成光学系（いずれも図示せず）とを含んで構成されている。光学部１２０は、合成光学系から射出されるフルカラーで略平行な変調光を内蔵する投写レンズで拡大した投写光により、スクリーンにフルカラー映像を投写する。
【００３０】
記憶部１１６は、例えば、フラッシュメモリーなどデータの書き換えが可能な不揮発性のメモリーおよびＩＤＥに対応したハードディスクにより構成されている。記憶部１１６には、例えば、プロジェクター１００を起動させるときの起動ルーチンなど、プロジェクター１００の動作を制御するための様々なプログラムおよび付随するデータが記憶されている。また、記憶部１１６には、後述する表示画像の主観評価において、プロジェクター１００の設置角度を変えて台形補正が行われた場合に、台形補正後の表示画像に適した各種パラメーターの設定値と設置角度との関係を示すルックアップテーブル（ＬＵＴ）３００が記憶されている。また、記憶部１１６には、例えば外部からの入力手段（図示せず）を通じて供給される画像データが記憶される。
【００３１】
画像処理回路２００は、記憶部１１６に記憶されている画像データに様々な処理を施し、スクリーンに表示させるための画像信号を生成する。上記の処理には、例えば、生成される画像信号により表示される表示画像を拡大および縮小することにより液晶ライトバルブの持つ解像度に合わせるスケーリング処理や、生成される画像信号の階調値を液晶ライトバルブで表示するのに適した階調値に変換するγ補正処理なども含まれる。
【００３２】
また、画像処理回路２００は、後述する表示画像の主観評価において、操作受付け部１１３からの各種の操作信号を受け取ると、当該操作信号の内容に応じて、当該主観評価のための表示画像およびリフレッシュ画像などをスクリーンに表示するための画像信号を生成する。
【００３３】
図２は、画像処理回路２００の機能ブロック図である。画像処理回路２００は、図２に示すように、パラメーター設定部２１０と、リフレッシュ時間設定部２２０と、リフレッシュ画像設定部２３０と、評価入力受付部２４０と、画像信号生成部２５０と、画像信号出力部２６０と、台形補正部２７０と、評価項目選択部２８０とを有する。
【００３４】
評価項目選択部２８０は、後述する表示画像の主観評価の際に、主観評価を実施する評価項目を示す信号をパラメーター設定部２１０に出力する。具体的には、まず、評価者が、選択した評価項目を操作受付け部１１３から入力する。そして、操作受付け部１１３は、入力された評価項目を示す操作信号を評価項目選択部２８０に入力する。そして、評価項目選択部２８０は、選択された評価項目を示す信号をパラメーター設定部２１０に出力する。
【００３５】
パラメーター設定部２１０は、選択された評価項目に対応して定められる表示画像を選択する。ここで、パラメーター設定部２１０は、記憶部１１６に記憶された画像データを参照して表示画像を選択してもよい。また、評価者が記憶部１１６に記憶された画像データを参照して表示画像を選択してもよい。また、パラメーター設定部２１０は、選択された評価項目に基づいて、画像表示部（ランプ１１０、液晶パネル駆動部１１２、ランプ駆動部１１９、および光学部１２０）によりスクリーンに表示させる表示画像の画質を示すパラメーターを設定する。
【００３６】
具体的には、パラメーター設定部２１０は、画像表示部に表示させる複数の表示画像の各々について、上記パラメーターを表示画像毎に異なる値に設定する。このときの設定値は、パラメーターに対応付けて記憶部１１６に記憶されており、例えば操作受付け部１１３からの操作信号により指定されたパラメーターについての上記設定値を、パラメーター設定部２１０が記憶部１１６から読み出して設定する。なお、主観評価を行う際に選択するパラメーターの補正テーブルは、パラメーター設定部２１０によって実行されるプログラムにより、都度生成するようにしてもよい。
【００３７】
リフレッシュ時間設定部２２０は、後述する表示画像の主観評価の際に、表示する複数の表示画像の各々の表示時間の合間にいずれの表示画像も表示しないリフレッシュ時間を設定する。リフレッシュ時間を設けることにより、表示画像の主観評価の際に、当該主観評価を行う評価者が、順次に表示される表示画像について、直前の表示画像の残像イメージをキャンセルして評価することができる。
【００３８】
ここで、リフレッシュ時間設定部２２０は、パラメーター毎に異なるリフレッシュ時間を設定してもよい。このとき、パラメーター毎のリフレッシュ時間の設定は、例えば、評価者の操作（操作受付け部１１３からの操作信号）により行われる。これにより、評価者が、明るさなど、直前の表示画像のイメージをキャンセルするのに時間がかかるパラメーターについて主観評価を行う場合は、長めにリフレッシュ時間を設けるなどの設定をすることができる。また、これに替えて、リフレッシュ時間設定部２２０がパラメーターに応じたリフレッシュ時間のテーブルを予め記憶し、これを読み出してパラメーター毎のリフレッシュ時間の設定に利用してもよい。
【００３９】
また、プロジェクター１００が表示画像を所定のフレームレートで動画表示するものである場合、リフレッシュ時間設定部２２０は、複数のフレームに相当する時間を上記リフレッシュ時間として設定してもよい。例えば、表示画像を３０ｆｐｓで表示させる場合、リフレッシュ時間設定部２２０は、例えば１５０ｆｐｓ（約５秒間）に相当する時間をリフレッシュ時間として設定してもよい。これにより、表示画像を所定のフレームレートでコマ送り表示するような場合でも、十分なリフレッシュ時間を確保することができる。
【００４０】
リフレッシュ画像設定部２３０は、上記リフレッシュ時間内に表示するリフレッシュ画像を設定する。例えば、リフレッシュ画像設定部２３０は、評価者が、主観評価の際に順次に表示される表示画像について、直前の表示画像の残像イメージをキャンセルして次の表示画像を評価することができるように、当該直前の表示画像よりも輝度の低い画像をリフレッシュ画像として設定してもよい。リフレッシュ画像の一例としては、全体が黒色（輝度値が０）の画像が挙げられる。
【００４１】
評価入力受付部２４０は、評価者が、例えばシャープネスなど特定の評価項目について異なるパラメーターを設定された複数の表示画像に対する主観評価を行った後で操作部１１１を通じて入力した評価入力を操作受付け部１１３を介して受け付ける。
【００４２】
画像信号生成部２５０は、記憶部１１６から読み出された画像データに基づいて、画像表示部に表示させる画像の画像信号を生成する。また、画像信号生成部２５０は、表示画像の主観評価の際には、パラメーター設定部２１０で設定された表示画像のパラメーターと、当該パラメーターに応じてリフレッシュ時間設定部２２０で設定されたリフレッシュ時間と、リフレッシュ画像設定部２３０で設定されたリフレッシュ画像とに基づいて、当該主観評価の際に表示させる表示画像の画像信号を生成する。また、画像信号生成部２５０は、主観評価の際には、評価要求画面に表示される評価要求表示画像の画像信号も生成する。ここで評価要求画面とは、表示画像およびリフレッシュ画像を表示した後に主観評価の評価入力を促すメッセージ等の表示画面である。そして、画像信号出力部２６０は、画像信号生成部２５０で生成された画像信号と評価要求表示画像の画像信号とを液晶パネル駆動部１１２へと出力する。
【００４３】
また、画像信号生成部２５０は、評価入力受付部２４０が評価入力を受け付けたことに応じて、直前の主観評価の表示画像について設定されていたパラメーターと異なるパラメーターについて異なる値を設定した表示画像を画像表示部に表示させるための画像信号を生成する。具体的には、画像信号生成部２５０は、評価入力受付部２４０が評価入力を受け付けると、次に行う主観評価で表示させるための表示画像の画像信号を生成する。ここで、直前の主観評価において、明るさをパラメーターとして設定し、その値を例えばＡおよびＢ（いずれも数値）に設定した２枚の表示画像を用いて評価を行った場合、画像信号生成部２５０は、次に、シャープネスをパラメーターとして設定し、その値を例えばＣおよびＤ（いずれも数値）の範囲で異ならせた複数の表示画像の画像信号を生成する。
【００４４】
台形補正部２７０は、プロジェクター１００が傾けて設置された場合に、画像表示部に表示させる表示画像について台形補正を行う。具体的には、操作部１１１を通じてプロジェクター１００のスクリーンに対する仰角（設置角度）が入力されると、台形補正部２７０は、その情報を操作受付け部１１３を介して受け取る。そして、台形補正部２７０は、その情報に基づいて、スクリーンに表示される画像の台形歪がより小さくなるように、画像信号生成部２５０が生成する画像信号を補正するとともに、台形補正を行った旨の情報をパラメーター設定部２１０へと送る。
【００４５】
パラメーター設定部２１０は、台形補正部２７０により台形補正が行われた場合に、パラメーターの設定値を変更する。具体的には、パラメーター設定部２１０は、記憶部１１６が記憶しているルックアップテーブル（ＬＵＴ）３００を読み出し、それぞれのパラメーターを台形補正後の表示画像に適した設定値に変更する。
【００４６】
図３および図４は、プロジェクター１００の表示画像を主観評価する際のフローチャートである。また、図５は、主観評価の際に順次に表示される表示画像、リフレッシュ画像、および評価要求画像の一例である。以下、本実施形態のプロジェクター１００に対して工場出荷前に行う表示画像の主観評価について一例を示して説明する。
【００４７】
本フローでは、まず、評価者が、操作受付け部１１３を通じて、主観評価を実施する評価項目を選択する（ステップＳ１０）。そして、評価項目選択部２８０は、選択された評価項目を示す信号をパラメーター設定部２１０に出力する。本例では、評価者が評価項目として「明るさ」を選択した場合の主観評価の手順を例示する。次に、パラメーター設定部２１０が、選択された評価項目に対応する表示画像を選択する（ステップＳ２０）。
【００４８】
次に、リフレッシュ時間設定部２２０が、表示画像を表示する間のリフレッシュ時間を設定し（ステップＳ３０）、リフレッシュ画像設定部２３０が、当該リフレッシュ時間内に表示するリフレッシュ画像を設定する（ステップＳ４０）。本例では、リフレッシュ画像として、図５に示すように、全体が黒色（輝度値が０）の画像（リフレッシュ画像５２０）が設定される。
【００４９】
次に、台形補正部２７０により台形補正が行われた場合（ステップＳ５０：ＹＥＳ）は、パラメーター設定部２１０は、後述するステップＳ８０においてパラメーターを設定する際に、パラメーターの設定値を台形補正後の表示画像に適した値に補正するために、記憶部１１６が記憶しているルックアップテーブル（ＬＵＴ）３００を読み出す（ステップＳ６０）。
【００５０】
次に、画像信号生成部２５０は、「明るさ」についてのパラメーター（例えば輝度）が異なる複数枚の表示画像を生成する。具体的には、パラメーターの異なる表示画像を表示する回数を設定し（ステップＳ７０）、パラメーター設定部２１０において「明るさ」のパラメーターを設定し（ステップＳ８０）、当該パラメーターを適用した表示画像５１０（図５参照）を生成して表示する（ステップＳ９０）。そして、表示画像５１０を表示した後、リフレッシュ画像を表示する（ステップＳ１００）。なお、本例では、パラメーターの異なる表示画像を表示する回数を２回に設定するため、再度ステップＳ８０に戻り、上記パラメーターを表示画像５１０とは異なる値に設定した上で、ステップＳ９０において表示画像５３０（図５参照）を生成して表示し、その後、リフレッシュ画像を表示する。本例では、表示画像５１０の明るさは、表示画像５３０の明るさよりも大きな値に設定されている。
【００５１】
次に、評価要求画面が表示される（ステップＳ１１０）。そして、評価者により表示画像５１０，５３０のどちらが好ましいかを示す評価入力があった場合（ステップＳ１２０：ＹＥＳ）、本フローは終了する。一方、評価者による評価入力がなかった場合（ステップＳ１２０：ＮＯ）は、評価入力があるまで評価要求画面の表示を続ける（ステップＳ１１０）。
【００５２】
以上のように、本実施形態のプロジェクター１００によれば、主観評価の際にリフレッシュ時間を設けながら表示画像を順次に表示するので、評価者が直前の表示画像のイメージをキャンセルし易くなる。
【００５３】
以上、本発明を実施の形態を用いて説明したが、本発明の技術的範囲は上記実施の形態に記載の範囲には限定されない。上記実施の形態に、多様な変更または改良を加えることができることは当業者に明らかである。
【００５４】
例えば、上記実施形態では、リフレッシュ画像として全体が黒色（輝度が０）の画像を例示したが、表示画像のＡＰＬ（Average Picture Level）よりも輝度の低い無彩色画像を用いても、同様の効果を得ることができる。また、プロジェクター１００は、液晶プロジェクター（透過型、ＬＣＯＳ等の反射型）に限定されず、例えば、デジタルマイクロミラーデバイスを用いたプロジェクター等であってもよい。
【符号の説明】
【００５５】
１００…プロジェクター、１１０…ランプ、１１１…操作部、１１２…液晶パネル駆動部、１１３…操作受付け部、１１４…電源部、１１６…記憶部、１１７…制御部、１１９…ランプ駆動部、１２０…光学部、１５０…外部電源、２００…画像処理回路、２１０…パラメーター設定部、２２０…リフレッシュ時間設定部、２３０…リフレッシュ画像設定部、２４０…評価入力受付部、２５０…画像信号生成部、２６０…画像信号出力部、２７０…台形補正部、２８０…評価項目選択部、３００…ルックアップテーブル（ＬＵＴ）、５１０，５３０…表示画像、５２０…リフレッシュ画像、５４０…評価要求画面
【図１】
2011082843.tif 000003
【図２】
2011082843.tif 000004
【図３】
2011082843.tif 000005
【図４】
2011082843.tif 000006
【図５】
2011082843.tif 000007